(57)【特許請求の範囲】
【請求項１】
吸気口を有する掃除機本体と、該掃除機本体の吸気口に一端を接続する可撓性ホースと、該可撓性ホースの他端に配設され、上面にグリップ部を有する接続管と、該接続管に着脱自在に接続される延長管と、該延長管に着脱自在に接続される床用吸込具とを備えた電気掃除機であって、前記接続管端部近傍の前記グリップ部と相対向する下面において前記接続管の軸線方向に突出形成される軸支部と、該軸支部に前記接続管の軸線方向に摺動し且つ回動する隙間用アタッチメントと、該隙間用アタッチメントの不使用時に隙間用アタッチメントを係止する係止爪とを設け、前記隙間用アタッチメントは、前記接続管に嵌合される位置と前記接続管の接続口から待避して接続口への前記延長管の接続を許容する位置との間を摺動且つ回動する構成を有し、更に、前記隙間用アタッチメントの使用時には、前記隙間用アタッチメントを前記係止爪からはずして前記軸支部に沿って摺動させて回動させた後、前記掃除機本体側へ摺動させて前記接続管内周に嵌合させることを特徴とする電気掃除機。
【発明の詳細な説明】
【０００１】
【発明の属する技術分野】
本発明は、電気掃除機のホースもしくは延長パイプに接続して使用されるアタッチメントの取り付け構造を改良した電気掃除機に関する。
【０００２】
【従来の技術】
従来、掃除機本体に接続される可撓性ホースの端部に延長管を介して床用吸込具を取り付ける電気掃除機において、部屋の隅、家具の隙間等を掃除する際には、床用吸込具を取り外して延長パイプに隙間用アタッチメントもしくはブラシを植毛したブラシアタッチメントを取り付けたり、床用吸込具及び延長パイプを取り外して可撓性ホースの端部に直接隙間用アタッチメントを取り付ける等して使用するようになっている。
【０００３】
このような隙間用アタッチメントやブラシアタッチメントは、一般的に、不使用時には、掃除機本体に形成された収納部に収納されており、使用する際に延長管や床用吸込具を取り外してアタッチメントを取り出し、ホース端部もしくは延長管端部に取り付けるようになっている。
【０００４】
従って、アタッチメントを使用する際には、使用者が腰をかがめて掃除機本体から取り出し、付け替え作業を行わなければならず、動作が煩雑で使い勝手が悪いとともに、アタッチメント収納部を掃除機本体に設けることで、掃除機本体が大型化する問題があった。
【０００５】
また、掃除機本体にアタッチメントの収納部がない電気掃除機においては、アタッチメントを単体で押し入れ等に収納しなければならず、紛失するおそれがあった。
【０００６】
【発明が解決しようとする課題】
本発明は上記欠点に鑑みなされたもので、アタッチメントの装着を容易にして使用性を向上できる電気掃除機を提供することを課題とする。
【０００７】
【課題を解決するための手段】
本発明の手段は、吸気口を有する掃除機本体と、該掃除機本体の吸気口に一端を接続する可撓性ホースと、該可撓性ホースの他端に配設され、上面にグリップ部を有する接続管と、該接続管に着脱自在に接続される延長管と、該延長管に着脱自在に接続される床用吸込具とを備えた電気掃除機であって、前記接続管端部近傍の前記グリップ部と相対向する下面において前記接続管の軸線方向に突出形成される軸支部と、該軸支部に前記接続管の軸線方向に摺動し且つ回動する隙間用アタッチメントと、該隙間用アタッチメントの不使用時に隙間用アタッチメントを係止する係止爪とを設け、前記隙間用アタッチメントは、前記接続管に嵌合される位置と前記接続管の接続口から待避して接続口への前記延長管の接続を許容する位置との間を摺動且つ回動する構成を有し、更に、前記隙間用アタッチメントの使用時には、前記隙間用アタッチメントを前記係止爪からはずして前記軸支部に沿って摺動させて回動させた後、前記掃除機本体側へ摺動させて前記接続管内周に嵌合させることを特徴とする。
【００１２】
【発明の実施の形態】
本発明の実施の形態を図１乃至図５に基づいて以下に説明する。
【００１３】
１は吸気口２を有する掃除機本体で、該掃除機本体１の吸気口２に可撓性を有するホース３の一端を接続するとともに、ホース３の他端に配設される後述の接続管６に延長管４、４を着脱自在に接続し、該延長管４端部に床用吸込具５を取り付けるようになっている。
【００１４】
６は前記ホース３の他端部に配設された接続管で、前記掃除機本体１の図示しない電動送風機を制御するスイッチ７を有するとともに、該接続管６上面側に略三角形状のグリップ部８を一体的に形成している。
【００１５】
９は前記接続管６端部近傍のグリップ部８と相対向する下側面に形成された切欠溝で、該切欠溝９に対応する位置に、後述するアタッチメント13を軸支する一対の軸支部10を接続管６の軸方向に突出形成している。前記軸支部10は、長孔11を有しており、後述するアタッチメント13の軸15が該長孔11をスライドするようになっている。12は前記接続管６の下側面に形成された係止爪で、後述するアタッチメント13の不使用時にアタッチメント13を係止するようになっている。
【００１６】
13は家具の隙間や壁際等を掃除するための隙間用アタッチメントで、外径を前記接続管６の内径と略同一寸法に形成されている。14は前記アタッチメント13の一端部外周面に形成された軸支片で、該軸支片14に軸15を形成しており、該軸15を前記軸支部14に摺動自在且つ回動自在に軸支されるようになっている。16は前記アタッチメント13の不使用時において前記接続管６に対向する面に形成されるもらし孔で、該もらし孔16から空気を取り込むことにより、前記アタッチメント13の開口面積が小さいために電動送風機に付加がかかるのを防止するようになっており、該もらし孔16の開口縁に前記接続管６の係止爪12が係合することによりアタッチメント13を固定して回動を防止するようになっている。
【００１７】
上記構成において、一般的な床面掃除の際は、ホース３端部に延長管４及び床用吸込具５を接続して使用する。
【００１８】
そして、家具の隙間や窓の桟、壁際等を掃除する際には、床用吸込具５とともに延長管４を取り外し、アタッチメント13を係止爪12からはずして軸支部10の長孔11に沿って軸支部10の遊端側へスライドさせるとともに回動させた後、アタッチメント13を軸支部10の根本側（掃除機本体１側）へスライドさせ、アタッチメント13を接続管６内周に嵌合させる。
【００１９】
この構成により、家具の隙間や窓の桟などの細かい部分を掃除する際に、延長管４を取り外してアタッチメント13を摺動及び回動させることで、簡単にホース３の接続管６に嵌合させることができ、掃除機本体１からアタッチメント13を取り出して付け替える場合に比較して使用性を向上できるとともに、アタッチメント13を接続管６内周に嵌合させて取り付けることができるため、アタッチメント13と接続管６との間からの空気漏れを防止して気密性を向上でき、吸込力の低下を防止できる。
【００２０】
また、アタッチメント13を接続管６に取り付けていることで、掃除機本体１に収納スペースを設ける必要がなく、掃除機本体１の大型化を防止できる。
【００２１】
次に、図６乃至図９に基づいて第２の実施の形態を説明する。尚、上記実施の形態と同一部分は同一符号を附して説明を省略する。
【００２２】
本第２の実施の形態において、接続管６の開口端は前記グリップ部８が形成される上面側がグリップ部８から遠く下面側がグリップ部８に近接するよう傾斜している。17は前記接続管６の下側面、即ち接続管６の開口端のグリップ部８に最も近接する部分に突出形成された軸支部で、前記アタッチメント13の軸15を該軸支部17に回動自在に軸支している。
【００２３】
この構成によると、接続管６の端部を傾斜させ、この傾斜のグリップ部８に最も近接する位置にアタッチメント13を軸支しているため、延長管４を取り外してアタッチメント13を回動させることで、アタッチメント13を接続管６に気密的に嵌合させることができ、単純な構造でアタッチメント13の取り付けを容易にして使用性を向上できるとともに、上記第１の実施の形態に比べて軸支部17の強度を向上させることができる。
【００２４】
尚、本第２の実施の形態では、接続管６端部の傾斜部を、前記グリップ部８が形成される上面側がグリップ部８から遠く下面側がグリップ部８に近接するよう形成したが、接続管６の下面をグリップ部８から遠く上面側がグリップ部８に近接する傾斜部、また、接続管６の一側部をグリップ部８から遠く他側部をグリップ部８に近接する傾斜部としてもよく、いずれの場合にも傾斜部のグリップ部８に最も近接する位置にアタッチメント13を軸支すれば同様の作用効果を奏するものである。
【００２５】
上記第２の実施の形態では、接続管６端部を傾斜させることにより、軸15を中心にアタッチメント13を回動させることでアタッチメント13を接続管６に嵌合させることができるよう構成したが、図10乃至図14に示す第３の実施の形態のごとく、接続管６の軸支部17と対向する上面側内周面に、前記アタッチメント13の軸15を支点としアタッチメント13の外径を半径とする円弧状の凹部18を形成し、接続管６の外径を大きくすることなく内径を大きくすることにより、アタッチメント13を軸15を支点に回動させることで接続管６に気密的に嵌合させることができ、単純な構造でアタッチメント13の取り付けを容易にして使用性を向上できる。
【００２６】
さらに、図15乃至図18に示す第４の実施の形態のごとく、アタッチメント13の軸15と対向する部分の端部外周に、前記アタッチメント13の軸15を支点とするアール部19を形成することにより、接続管６の内径を大きくすることなく、アタッチメント13を回動させることで接続管６に気密的に嵌合させることができ、単純な構造でアタッチメント13の取り付けを容易にして使用性を向上できる。
【００２７】
尚、上記各実施の形態では、ホース３の端部に形成した接続管６にアタッチメント13を取り付ける構成としたが、延長管４の床用吸込具５側端部に形成しても良い。
【００２８】
【発明の効果】
本発明の請求項１によると、簡単な構成で隙間用アタッチメントを接続管に気密的に嵌合でき、隙間用アタッチメントの取り付けを容易にして使用性を向上できる。
【図面の簡単な説明】
【図１】本発明の第１の実施の形態を示す電気掃除機の通常使用状態における要部拡大断面図である。
【図２】同延長管を取り外した状態において、アタッチメントを収納した状態及び回動させた状態を同時に示す要部拡大断面図である。
【図３】同アタッチメントをホース端部に取り付けた状態を示す要部拡大断面図である。
【図４】同図３における底面図である。
【図５】同電気掃除機の通常使用状態を示す斜視図である。
【図６】同第２の実施の形態を示す電気掃除機の通常使用状態における要部拡大断面図である。
【図７】同延長管を取り外してアタッチメントを収納状態から回動させる動作を示す要部拡大断面図である。
【図８】同アタッチメントをホース端部に取り付けた状態を示す要部拡大断面図である。
【図９】同図８における底面図である。
【図１０】同第３の実施の形態を示す電気掃除機の通常使用状態における要部拡大断面図である。
【図１１】同延長管を取り外してアタッチメントを回動させる動作を示す要部拡大断面図である。
【図１２】同接続管の開口端の平面図である。
【図１３】同アタッチメントをホース端部に取り付けた状態を示す要部拡大断面図である。
【図１４】同図１３における底面図である。
【図１５】同第４の実施の形態を示す電気掃除機の通常使用状態における要部拡大断面図である。
【図１６】同延長管を取り外してアタッチメントを回動させる動作を示す要部拡大断面図である。
【図１７】同アタッチメントの接続側端部からみた平面図である。
【図１８】同アタッチメントをホース端部に取り付けた状態を示す要部拡大断面図である。
【符号の説明】
１          掃除機本体
３          ホース
４          延長管
５          床用吸込具
８          グリップ部（操作部）
13          アタッチメント
10          軸支部
11          長孔
17          軸支部
18          凹部
19          アール部
【図１】
0003649914.tif 000002
【図２】
0003649914.tif 000003
【図３】
0003649914.tif 000004
【図４】
0003649914.tif 000005
【図５】
0003649914.tif 000006
【図６】
0003649914.tif 000007
【図７】
0003649914.tif 000008
【図８】
0003649914.tif 000009
【図９】
0003649914.tif 000010
【図１０】
0003649914.tif 000011
【図１１】
0003649914.tif 000012
【図１２】
0003649914.tif 000013
【図１３】
0003649914.tif 000014
【図１４】
0003649914.tif 000015
【図１５】
0003649914.tif 000016
【図１６】
0003649914.tif 000017
【図１７】
0003649914.tif 000018
【図１８】
0003649914.tif 000019